(57)【特許請求の範囲】
【請求項１】
顔面の少なくとも鼻孔と口許とを覆うことが可能な面体と、前記面体の内外を貫通する導水管とを有し、前記面体外にある前記導水管の外側部先端が給水手段に接続可能である一方、前記面体内にある前記導水管の内側部先端が前記給水手段からの水を前記口許に供給可能である防護マスクであって、
前記導水管が前記外側部と前記内側部との間に前記面体を貫通する中間部を有し、前記面体は前記中間部の外周面に水密状態で当接するとともに前記中間部の周方向への摺動を可能にする管状案内部を有しており、
前記管状案内部の内周面の一部分には前記中間部の外周面と向かい合う凹部が形成されており、
前記中間部には、前記外側部において前記導水管の長さ方向へ延びて前記中間部に至る第１外側水路と前記中間部における前記第１外側水路の端部から前記中間部の径方向へ延びていて前記外周面に第１開口を有する第２外側水路とが形成されるとともに、前記内側部において前記導水管の長さ方向へ延びて前記中間部に至る第１内側水路と前記中間部における前記第１内側水路の端部から前記第２外側水路に平行して前記中間部の径方向へ延びていて前記外周面に第２開口を有する第２内側水路とが形成されており、
前記導水管は、前記管状案内部において前記中間部が周方向へ回転して、前記第１開口と前記第２開口とが前記内周面のうちの前記凹部と向かい合うときに、前記凹部を介して前記外側部と前記内側部との間が通水可能につながるとともに前記内側部先端が前記口許に接近する方向へ動き、前記第１開口と前記第２開口とが前記内周面のうちの前記凹部以外の部分と向かい合うときに、前記第１開口と前記第２開口との間が前記内周面によって通水不能に塞がれるとともに前記内側部先端が前記口許から遠ざかる方向へ動くことを特徴とする前記防護マスク。
【請求項２】
前記給水手段が前記防護マスク着用者の頭部に固定可能な貯水袋である請求項１記載の防護マスク。
【発明の詳細な説明】
【技術分野】
【０００１】
この発明は防護マスクに関し、より詳しくは防護マスク着用者の口許に飲料水を供給可能な防護マスクに関する。
【背景技術】
【０００２】
従来、例えば作業現場や事故現場で使用される防護マスク等のマスクであって、その着用者の口許に対してマスクの外側から飲料水を供給可能であるものはよく知られている。例えば、特開２００３−２１０５９９号公報（特許文献１）には、面体に導水装置を取り付けたマスクが開示されている。この導水装置は、面体内側に設けられるチューブと面体外側に設けられるカプラソケットとを有するもので、面体に対してカプラソケットが回転可能に取り付けられている。カプラソケットが面体から起立する方向へ回転すると、カプラソケットにつながるチューブが面体の面口部に近づくように移動して、マスク着用者の口許に飲料水を供給することができる。また、カプラソケットが面体に向かって倒れる方向へ回転すると、チューブが面口部から遠ざかるように移動する。
【特許文献１】特開２００３−２１０５９９号公報
【発明の開示】
【発明が解決しようとする課題】
【０００３】
特許文献１に開示されたマスクによれば、マスク着用者は、カプラソケットを回転させることによってマスク内のチューブを口許に近づけ、そのチューブの先端から水を吸い込むようにすることによって、マスクの外側にあってカプラソケットがつながる水筒等の貯水容器の水を飲むことができる。水を飲み終わってチューブが邪魔になるときには、カプラソケットを回転させてチューブを口許から遠ざけることができる。このマスクは、貯水容器の水位を口許よりも低くして着用されるが、そのような水位にある水を飲むには、水を強く吸い込むことが必要であり、そのことがマスク着用者の負担になる場合がある。また、その負担を解消するには、貯水容器を手に持って、一時的に水位が口許よりも高くなるように持ち上げればよいが、それでは少なくとも片手の自由が奪われるという事態が生じる。
【０００４】
この発明は、マスク着用者が両手の自由を奪われることなく水を飲むことができるように、従来のマスクに改良を施すことを課題にしている。
【課題を解決するための手段】
【０００５】
前記課題解決のために、この発明が対象とするのは、顔面の少なくとも鼻孔と口許とを覆うことが可能な面体と、前記面体の内外を貫通する導水管とを有し、前記面体外にある前記導水管の外側部先端が給水手段に接続可能である一方、前記面体内にある前記導水管の内側部先端が前記給水手段からの水を前記口許に供給可能である防護マスクである。
【０００６】
かかる防護マスクにおいて、この発明が特徴とするところは、次のとおりである。前記導水管が、前記外側部と前記内側部との間に前記面体を貫通する中間部を有し、前記面体が、前記中間部の外周面に水密状態で当接するとともに前記中間部の周方向への摺動を可能にする管状案内部を有している。
【０００７】
前記管状案内部の内周面の一部分には、前記中間部の外周面と向かい合う凹部が形成されている。
【０００８】
前記中間部には、前記外側部において前記導水管の長さ方向へ延びて前記中間部に至る第１外側水路と前記中間部における前記第１外側水路の端部から前記中間部の径方向へ延びていて前記外周面に第１開口を有する第２外側水路とが形成されるとともに、前記内側部において前記導水管の長さ方向へ延びて前記中間部に至る第１内側水路と前記中間部における前記第１内側水路の端部から前記第２外側水路に平行して前記中間部の径方向へ延びていて前記外周面に第２開口を有する第２内側水路とが形成されている。
【０００９】
前記導水管は、前記管状案内部において前記中間部が周方向へ回転して、前記第１開口と前記第２開口とが前記内周面のうちの前記凹部と向かい合うときに、前記凹部を介して前記外側部と前記内側部との間が通水可能につながるとともに前記内側部先端が前記口許に接近する方向へ動き、前記第１開口と前記第２開口とが前記内周面のうちの前記凹部以外の部分と向かい合うときに、前記第１開口と前記第２開口との間が前記内周面によって通水不能に塞がれるとともに前記内側部先端が前記口許から遠ざかる方向へ動く。
【００１０】
この発明の好ましい実施態様において、前記給水手段は、前記防護マスク着用者の頭部に固定可能な貯水袋である。
【発明の効果】
【００１１】
この発明に係る防護マスクでは、その面体の内外を貫通する導水管の中間部が面体に設けられた管状案内部の内側で周方向に回転して、第１外側水路と第１内側水路とが管状案内部の内周面に形成された凹部を介して通水可能な状態になると、導水管につながる給水手段からの水が導水管の第１内側水路にまで流れて、防護マスク着用者は、手を使うことなしに第１内側水路の先端から水を飲むことができる。導水管は、中間部が周方向へ回転して、中間部に形成されている第１開口と第２開口とが管状案内部における凹部から外れて凹部以外の内周面と向き合うようになると、第１外側水路と第１内側水路との間が通水不能になり、給水手段からの水の流れが止まる。
【００１２】
給水手段が防護マスク着用者の頭部に固定可能な貯水袋である態様のこの発明によれば、給水手段の水位が常に口許よりも上にあるから、第１外側水路と第１内側水路とが通水可能につながっているときには、水が自動的にマスク着用者の口許にまで流れる。したがって、マスク着用者は、水を強く吸い込む必要がない。
【発明を実施するための最良の形態】
【００１３】
添付の図面を参照して、この発明に係る防護マスクの詳細を説明すると、以下のとおりである。
【００１４】
図１，２は、この発明に係る防護マスク１が着用状態にあるときの斜視図と部分破断側面図であるが、図２では、着用者の顔面２と頭部３と防護マスク１における部材の一部のものが仮想線で示されており、また防護マスク１から取り外し可能なフィルタ５０が仮想線で示されている。防護マスク１は、その用途を限定するものではないが、図示例のものは作業現場や工事現場で使用するのに好適なものであって、フルフェイス型の面体１１と、貯水袋１２と、面体１１と貯水袋１２とをつなぐホース１８を有する。
【００１５】
面体１１は、顔面の少なくとも鼻孔と口許とを覆うことができるように作られるもので、本体１４と、本体１４に組み込まれている一対のレンズ部１６と、吸排気部１７と、導水管２０とを有する。本体１４は、ゴム等の柔軟弾性材料で形成されており、周縁部１９が顔面２に密着可能に形成されるとともに、頭部３の後方に向かって延びる複数の延出部２１を有する。吸排気部１７は、その前面部分にフィルタ取り付け部２２を有し、このフィルタ取り付け部２２には、防塵用や防毒用のフィルタ５０を取り付けることができる。吸排気部１７の内側には吸気用逆止弁（図示せず）が設けられ、本体１４の内側には第２の吸気用逆止弁５３や排気用逆止弁５４が設けられている。導水管２０は、面体１１の内外を貫通しているもので、面体１１の外側へ延びる外側部２０ａと、面体１１の内側へ延びる内側部２０ｂとを有しており、外側部２０ａは矢印Ａ方向へ旋回可能である（図３を併せて参照）。外側部２０ａが旋回したときには、面体１１の内部に延びた内側部２０ｂの開口している先端５１がマスク着用者の口許へ移動して先端５１から貯水袋１２の水が流出するので、防護マスク着用者は、先端５１に口を当ててその水を飲むことができて、しかも両手を自由に使うことができる。
【００１６】
貯水袋１２は、その内部に飲料水を貯えておくことができるとともに頭部３の形状になじみ易いフレキシブルな袋であって、その周縁部は頂縁部２５と側縁部２６と底縁部２７とによって形成されていて、頂縁部２５と側縁部２６とにはヘッドバンド１３が取り付けられている。底縁部２７には貯水袋１２の内部に通じる給水用の雌型のコネクタ２８が取り付けられている。
【００１７】
面体１１と貯水袋１２との間には、フレキシブルなホース１８が延びている。ホース１８は、前後両端に雄型と雌型とのうちの例えば雄型のコネクタ（図示せず）が取り付けられたものであって、前端のコネクタは導水管２０の雌型コネクタ５２（図３参照）に離脱可能に接続する一方、後端のコネクタが貯水袋１２のコネクタ２８に離脱可能に接続している。
【００１８】
ヘッドバンド１３のそれぞれは、その後方部分を形成している基端部３１が貯水袋１２に固定されており、基端部３１の反対端部である前端部３２に取り付けられたバックル３３によって長さを調節することができる。バックル３３には、掛け止め用部材３４が取り付けられており、その掛け止め用部材３４が面体１１における延出部２１に設けられた受け止め用突起３６に取り外し可能に引っ掛けられている。なお、図示例において、頂縁部２５に取り付けられたヘッドバンド１３ａのみは長さ調節不能に作られているが、このヘッドバンド１３ａを長さ調節可能なものに代えることもできる。また、頂縁部２５と側縁部２６とがつながる部位に取り付けられたヘッドバンド１３ｂの基端部３１は、バックル３３で折り返された前端部３２の影に隠れている。
【００１９】
図３は、防護マスク１のうちの吸排気部１７の正面図である。図１，２に示された導水管２０は、矢印Ａ方向へ旋回して仮想線の如くほぼ水平な状態になることが可能である。導水管２０が実線の状態にあるときには、導水管２０の内側部２０ｂが図の上方へ延びた状態にあり、防護マスク着用者の口許（図示せず）から遠く離れている。導水管２０が矢印Ａへ旋回すると、内側部２０ｂは図において水平方向へ延びた状態になり、内側部２０ｂの先端５１が防護マスク着用者の口許近傍に移動する。着用者は、その先端５１に口を当てて貯水袋１２の水を飲んだ後に導水管２０を矢印Ａとは反対の方向へ旋回させることによって、先端５１を口許から遠ざけることができる。
【００２０】
図４は、面体１１の内側から見たときの導水管２０の斜視図であって、図中の仮想線は、導水管２０を矢印Ａ方向へ旋回させたときの状態を示している。導水管２０は、面体１１の外にある外側部２０ａと、面体１１の内側にある内側部２０ｂと、外側部２０ａと内側部２０ｂとの間にあって面体１１を内外方向から貫通している中間部２０ｃとを有する。外側部２０ａは、その先端部分のコネクタ５２がホース１８に取り外し可能につながっている。内側部２０ｂの先端５１とその近傍は、防護マスク着用者がくわえやすいように形成されている。中間部２０ｃは、面体１１の吸排気部１７に形成されていて吸排気部１７を内外方向から貫通している管状案内部６１に挿通されている。導水管２０を矢印Ａ方向またはその反対方向へ旋回させるときには、管状案内部６１の内側で中間部２０ｃがその周方向へ回転し、管状案内部６１の内周面６７（図５参照）に対して中間部２０ｃの外周面６６（図５参照）が実質上摺動する。
【００２１】
図５は、図４のＶ−Ｖ線切断面を示す図である。導水管２０において、外側部２０ａと中間部２０ｃとは、金属または硬質プラスチック製のもので、互いのねじ部６２において外側部２０ａは、ホース１８側の雄型カプラと嵌合する雌型カプラを有するものであるが、図５，６ではそれらカプラの図示が省略されている。内側部２０ｂは、軟質ゴムや軟質プラスチックで形成されており、先端５１の反対端部に対して中間部２０ｃにおける抜け止め付の内端部が挿入されている。かかる導水管２０は、外側部２０ａから中間部２０ｃへ向かって導水管２０の長さ方向へ延びる第１外側水路７１と、中間部２０ｃにおける第１外側水路７１の端部７１ａから中間部２０ｃの径方向へ延びて中間部２０ｃの外周面６６に流出側開口７２ａが形成された第２外側水路７２とを有する。導水管２０はさらに、内側部２０ｂから中間部２０ｃへ向かって導水管２０の長さ方向へ延びる第１内側水路８１と、中間部２０ｃにおける第１内側水路８１の端部８１ａから中間部２０ｃの径方向へ延びて中間部２０ｃの外周面６６に流入側開口８２ａが形成された第２内側水路８２とを有する。第２外側水路７２と第２内側水路８２とは平行しており、これら両水路７２，８２の間には隔壁７３が存在する。中間部２０ｃが回転可能に挿通されている管状案内部６１の内周面６７と中間部２０ｃの外周面６６との間には、これら両周面６６，６７間を水密状態に保つための第１Ｏ−リング６８ａと第２Ｏ−リング６８ｂとが介在している。図の状態にある流出側開口７２ａと流入側開口８２ａとは、図６において詳述されるように、両開口７２ａ，８２ａが実質的な意味において管状案内部６１の内周面６７によって塞がれていて、両開口７２ａ，８２ａ間の通水性が絶たれている。それゆえ、貯水袋１２の水は、第１外側水路７１を経て流出側開口７２ａにまで流れてきても、管状案内部６１の内周壁６７に阻まれてそれよりも先へは流れない。したがって、水は、内側部２０ｂの先端５１から流れ出ることがない。なお、図示例において別部材として示されている外側部２０ａと中間部２０ｃとは一体のものとして作ることも可能である。
【００２２】
図６は、図４におけるＶＩ−ＶＩ線切断面を示す図である。管状案内部６１の内周面６７の一部分には、凹部６９が形成されている（図４を併せて参照）。図５の状態の導水管２０は、矢印Ａ方向へ旋回すると、流出側開口７２ａと流入側開口８２ａとがその凹部６９と向かい合うようになって、流出側開口７２ａにまで流れてきている水は、矢印で示される如く凹部６９を通って流入側開口８２ａへ進入し、第１内側水路８１の先端５１から流出して、防護マスク着用者の飲料水となる。図６の状態の導水管２０は、矢印Ａとは反対の方向へ旋回させて図５の状態に戻せば、水の流出が止まる。
【００２３】
図７は、図５におけるＶＩＩ−ＶＩＩ線切断面の部分拡大図であって、導水管２０の中間部２０ｃと管状案内部６１とを示している。中間部２０ｃにおいて第１外側水路７１の端部７１ａから延びる第２外側水路７２は外周面６６にまで延びていて、流出側開口７２ａが管状案内部６１の内周面６７と向かい合っている。また、中間部２０ｃの外周面６６には、流出側開口７２ａを囲むようにＯ−リング７２ｃが取り付けられている。Ｏ−リング７２ｃは内周面６７に圧接しており、流出側開口７２ａが内周面６７のうちで凹部６９以外の部分と向き合っているときの流出側開口７２ａは、実質的に内周面６７によって塞がれた状態にある。したがって、貯水袋１２の水は、流出側開口７２ａから流出して流入側開口８２ａへ流入するということがない。かように作用するＯ−リング７２ｃは、流出側開口７２ａに代えて流入側開口８２ａを囲むように使用することもできるし、２個使用して両開口７２ａ，８２ａのそれぞれを囲むようにすることもできる。中間部２０ｃが回転して第２外側水路７２が仮想線で示された状態になると、流出側開口７２ａが凹部６９と向かい合う。このときに流入側開口８２ａもまた凹部６９と向かい合うので（図６参照）、防護マスク着用者への飲料水の自動的な供給が可能になる。
【００２４】
このように形成されている防護マスク１では、飲料用の水の水位が口許よりも常に高くなるような貯水袋１２の如き給水手段を使用しても、防護マスク１の内部において不必要に水が流出するということがない。防護マスク１において、給水手段の水位が口許よりも低い場合には、導水管２０を給水可能な状態にしたうえで防護マスク着用者が水を強く吸い込めばよい。
【産業上の利用可能性】
【００２５】
この発明によれば、防護マスク着用者が水を飲みたいときにのみ水を自動的に供給可能な防護マスクの製造が可能になる。
【図面の簡単な説明】
【００２６】
【図１】防護マスクの斜視図。
【図２】防護マスクの部分破断側面図。
【図３】防護マスクの部分正面図。
【図４】導水管の斜視図。
【図５】図４のＶ−Ｖ線切断面を示す図。
【図６】図４のＶＩ−ＶＩ線切断面を示す図。
【図７】図５のＶＩＩ−ＶＩＩ線切断面の部分拡大図。
【符号の説明】
【００２７】
１  防護マスク
１１    面体
１２    給水手段（貯水袋）
２０    導水管
２０ａ    外側部
２０ｂ    内側部
２０ｃ    中間部
５１    内側部先端
６１    管状案内部
６６    外周面
６７    内周面
６９    凹部
７１    第１外側水路
７１ａ    端部
７２    第２外側水路
７２ａ    第１開口（流出側開口）
８１    第１内側水路
８１ａ    端部
８２    第２内側水路
８２ａ    第２開口（流入側開口）
【図１】
0004649327.tif 000002
【図２】
0004649327.tif 000003
【図３】
0004649327.tif 000004
【図４】
0004649327.tif 000005
【図５】
0004649327.tif 000006
【図６】
0004649327.tif 000007
【図７】
0004649327.tif 000008